(57)【要約】【課題】複数のセル固有情報を無線送信装置から無線受信装置に送信することができる無線送信装置、無線受信装置、無線通信システム、プログラム及び無線通信方法を提供する。【解決手段】無線受信装置と通信する無線送信装置であって、第１のシーケンスを生成する第１のシーケンス生成部と、第２のシーケンスを生成する第２のシーケンス生成部と、第１のシーケンスの一部を第１の周波数帯域に割り当て、第２のシーケンスの一部を第１の周波数帯域と所定周波数に対して対称な第２の周波数帯域に割り当てるシーケンス割当部と、第１のシーケンスの一部と第２のシーケンスの一部とが割り当てられた送信信号を無線受信装置に送信する送信部とを備える。【選択図】図５
2008311738.tif 000002
【特許請求の範囲】
【請求項１】
無線受信装置と通信する無線送信装置であって、
第１のシーケンスを生成する第１のシーケンス生成部と、
第２のシーケンスを生成する第２のシーケンス生成部と、
前記第１のシーケンスの一部を第１の周波数帯域に割り当て、前記第２のシーケンスの一部を前記第１の周波数帯域と所定周波数に対して対称な第２の周波数帯域に割り当てるシーケンス割当部と、
前記第１のシーケンスの一部と前記第２のシーケンスの一部とが割り当てられた送信信号を前記無線受信装置に送信する送信部と、
を備えることを特徴とする無線送信装置。
【請求項２】
前記第２のシーケンスの位相を所定量だけ回転する位相回転部を備え、
前記シーケンス割当部は、前記第１のシーケンスの一部を送信信号の第１の周波数帯域に割り当て、前記位相回転部が位相を所定量だけ回転した第２のシーケンスの一部を前記第１の周波数帯域と対称な第２の周波数帯域に割り当てることを特徴とする請求項１に記載の無線送信装置。
【請求項３】
無線送信装置と通信する無線受信装置であって、
前記無線送信装置が送信する送信信号を受信する受信部と、
前記受信部が受信した送信信号の第１の周波数帯域から前記無線送信装置が送信した第１のシーケンスの一部を取得し、前記受信部が受信した送信信号の前記第１の周波数帯域と所定周波数に対して対称な第２の周波数帯域から前記無線送信装置が送信した第２のシーケンスの一部を取得するシーケンス取得部と、
前記シーケンス取得部が取得した第１のシーケンスの一部から第１のシーケンスを生成し、前記シーケンス取得部が取得した第２のシーケンスの一部から第２のシーケンスを生成するシーケンス生成部と、
を備えることを特徴とする無線受信装置。
【請求項４】
無線送信装置と無線受信装置との間で通信を行う無線通信システムであって、
前記無線送信装置は、
第１のシーケンスを生成する第１のシーケンス生成部と、
第２のシーケンスを生成する第２のシーケンス生成部と、
前記第１のシーケンスの一部を第１の周波数帯域に割り当て、前記第２のシーケンスの一部を前記第１の周波数帯域と所定周波数に対して対称な第２の周波数帯域に割り当てるシーケンス割当部と、
前記第１のシーケンスの一部と前記第２のシーケンスの一部とが割り当てられた送信信号を前記無線受信装置に送信する送信部とを備え、
前記無線受信装置は、
前記無線送信装置の送信部が送信する送信信号を受信する受信部と、
前記受信部が受信した送信信号の第１の周波数帯域から前記無線送信装置が送信した第１のシーケンスの一部を取得し、前記受信部が受信した送信信号の前記第１の周波数帯域と所定周波数に対して対称な第２の周波数帯域から前記無線送信装置が送信した第２のシーケンスの一部を取得するシーケンス取得部と、
前記シーケンス取得部が取得した第１のシーケンスの一部から第１のシーケンスを生成し、前記シーケンス取得部が取得した第２のシーケンスの一部から第２のシーケンスを生成するシーケンス生成部とを備えることを特徴とする無線通信システム。
【請求項５】
無線受信装置と通信する無線送信装置のコンピュータを、
第１のシーケンスを生成する第１のシーケンス生成手段と、
第２のシーケンスを生成する第２のシーケンス生成手段と、
前記第１のシーケンスの一部を第１の周波数帯域に割り当て、前記第２のシーケンスの一部を前記第１の周波数帯域と所定周波数に対して対称な第２の周波数帯域に割り当てるシーケンス割当手段と、
前記第１のシーケンスの一部と前記第２のシーケンスの一部とが割り当てられた送信信号を前記無線受信装置に送信する送信手段と、
して機能させることを特徴とするプログラム。
【請求項６】
無線送信装置と通信する無線受信装置のコンピュータを、
前記無線送信装置が送信する送信信号を受信する受信手段と、
前記受信手段が受信した送信信号の第１の周波数帯域から前記無線送信装置が送信した第１のシーケンスの一部を取得し、前記受信手段が受信した送信信号の前記第１の周波数帯域と所定周波数に対して対称な第２の周波数帯域から前記無線送信装置が送信した第２のシーケンスの一部を取得するシーケンス取得手段と、
前記シーケンス取得手段が取得した第１のシーケンスの一部から第１のシーケンスを生成し、前記シーケンス取得手段が取得した第２のシーケンスの一部から第２のシーケンスを生成するシーケンス生成手段と、
して機能させることを特徴とするプログラム。
【請求項７】
無線送信装置と無線受信装置とを用いた無線通信方法であって、
前記無線送信装置は、
第１のシーケンスを生成する第１のシーケンス生成過程と、
第２のシーケンスを生成する第２のシーケンス生成過程と、
前記第１のシーケンスの一部を第１の周波数帯域に割り当て、前記第２のシーケンスの一部を前記第１の周波数帯域と所定周波数に対して対称な第２の周波数帯域に割り当てるシーケンス割当過程と、
前記第１のシーケンスの一部と前記第２のシーケンスの一部とが割り当てられた送信信号を前記無線受信装置に送信する送信過程とを実行し、
前記無線受信装置は、
前記無線送信装置の送信過程で送信した送信信号を受信する受信過程と、
前記受信過程で受信した送信信号の第１の周波数帯域から前記無線送信装置が送信した第１のシーケンスの一部を取得し、前記受信過程で受信した送信信号の前記第１の周波数帯域と所定周波数に対して対称な第２の周波数帯域から前記無線送信装置が送信した第２のシーケンスの一部を取得するシーケンス取得過程と、
前記シーケンス取得過程で取得した第１のシーケンスの一部から第１のシーケンスを生成し、前記シーケンス取得過程で取得した第２のシーケンスの一部から第２のシーケンスを生成するシーケンス生成過程とを実行することを特徴とする無線通信方法。
【発明の詳細な説明】
【技術分野】
【０００１】
本発明は、無線送信装置、無線受信装置、無線通信システム、プログラム及び無線通信方法に関する。
【背景技術】
【０００２】
現在、無線アクセス技術であるＲＡＴ（Radio Access Technology）として、３ＧＰＰ（3rd Generation Partnership Project）で規定されているＷ−ＣＤＭＡ（Wideband-Code Division Multiple Access、非特許文献１）が第三世代セルラ移動通信方式として標準化され、順次サービスが開始されている。また、第三世代ＲＡＴの進化（Evolved Universal Terrestrial Radio Access、以降ＥＵＴＲＡと称する）及び第三世代ＲＡＴアクセスネットワークの進化（Evolved Universal Terrestrial Radio Access Network、以降ＥＵＴＲＡＮと称する）が検討されている。ＥＵＴＲＡでは、通信方式として、ＯＦＤＭＡ（Orthogonal Frequency Division Multiplexing Access：直交周波数分割多元接続）方式が提案されている（非特許文献２）。
【０００３】
セルラ移動通信方式では、移動局装置が基地局装置の通信エリアであるセルまたはセクタ内において、事前に基地局装置と無線同期している必要があることから、基地局装置では規定の構成から成る同期チャネル（Synchronization Channel、以降ＳＣＨと称する）を送信し、移動局装置にて同期チャネルＳＣＨを検出することで基地局装置と同期を取る。なお、Ｗ−ＣＤＭＡ方式では、同期チャネルＳＣＨとして同期チャネルＰ−ＳＣＨ（Primary SCH）と同期チャネルＳ−ＳＣＨ（Secondary SCH）が同じタイミングで送信される。
移動局装置は、同期チャネルＰ−ＳＣＨによってスロット同期を取得し、同期チャネルＳ−ＳＣＨの送信パターンによってフレーム同期を取得すると共に、基地局装置を区別するためのセルＩＤのグループを特定する。更にセルＩＤグループから基地局装置のセルＩＤを特定するには、共通パイロットチャネル（Common Pilot Channel、ＣＰＩＣＨとも称する）を用いる（非特許文献１の３５頁〜４５頁“２−２−２．セルサーチ”参照）。
【０００４】
上記の一連の制御、すなわち、移動局装置が基地局装置と無線同期を取り、更にその基地局装置のセルＩＤを特定するまでの制御をセルサーチと呼ぶ。セルサーチは、初期セルサーチと周辺セルサーチとに分類される。初期セルサーチとは、移動局装置が電源オン後に最も近いセルを検索し、そのセルに在圏するために行うセルサーチのことである。周辺セルサーチとは、初期セルサーチ後に、移動局装置がハンドオーバ先の候補セルを検索するために行うセルサーチのことである。
【０００５】
ＥＵＴＲＡは、ＯＦＤＭＡ方式を用いたマルチキャリア通信であるため、同期チャネルＳＣＨを使用するものの、前述したＷ−ＣＤＭＡ方式のセルサーチとは異なる制御が必要である。例えば、ＥＵＴＲＡでは既存の２Ｇや３Ｇサービスとの共存のため、異なる周波数帯域幅（例えば、１．２５ＭＨｚ、２．５ＭＨｚ、５ＭＨｚ、１０ＭＨｚ、２０ＭＨｚ）を持つ基地局装置をサポートする必要がある。このことを考慮し、同期チャネルＳＣＨの周波数帯域幅を１．２５ＭＨｚとし、基地局装置の周波数帯域幅の中心で送信する方法が提案されている（非特許文献２）。
【０００６】
図１４は、異なる周波数帯域幅を持つ基地局装置の周波数帯域Ｂ１〜Ｂ５と同期チャネルＳＣＨの関係を示した図である。すなわち、基地局装置が、周波数帯域Ｂ１＝２０ＭＨｚ、Ｂ２＝１０ＭＨｚ、Ｂ３＝５ＭＨｚ、Ｂ４＝２．５ＭＨｚ、Ｂ５＝１．２５ＭＨｚを有するときに、同期チャネルＳＣＨが基地局装置の周波数帯域の中心に配置されている場合を図示している。
図１４に示すように、基地局装置の周波数帯域幅が異なっていても、同期チャネルＳＣＨは常に基地局装置の周波数帯域の中心で送信される。これにより、隣接する基地局装置の周波数帯域幅が現在の基地局装置の周波数帯域幅と異なっていても、移動局装置は周波数帯域の中心で周辺セルサーチを行うことによって同期チャネルＳＣＨを検出することが可能となる。
【０００７】
更に３ＧＰＰでは、同期チャネルＳＣＨの構造としてＧＣＬ（Generalized Chirp Like）シーケンスを用いたものが提案されている（非特許文献３）。ＧＣＬシーケンスｓｋは非特許文献４によると式（１）で定義される。
【０００８】
【数１】
2008311738.tif 000003
【０００９】
ここで、（ｋ）  ｍｏｄ  ｍは、ｋをｍで割った剰余である。
更にａｋは式（２）で表される。
【００１０】
【数２】
2008311738.tif 000004
【００１１】
また、ｂｉ（ｉ＝０，・・・，ｍ−１）は、それぞれ振幅（絶対値）が１の任意の複素数である。非特許文献３で提示されているＧＣＬシーケンスは、ｂｉ＝１，ｑ＝０，Ｎが素数のときのＧＣＬシーケンスｓｋであり、以下の式（３）で表される。
【００１２】
【数３】
2008311738.tif 000005
【００１３】
ただし、ｋ＝０、・・・Ｎ−１、ｕ＝１、・・・、Ｎ−１、であり、ｕはＧＣＬシーケンスインデックス（式（２）におけるｒ）である。ＧＣＬシーケンスインデックスｕの値は、セル固有情報に対応し、セル固有情報を表すことができる。セル固有情報とは、セルまたはセクタインデックス（セル／セクタＩＤ、またはセル／セクタ番号）、セルまたはセクタの送信アンテナ本数、ガードインターバル（Guard Interval、ＧＩとも称する）の長さ、報知チャネル（ＢＣＨ）の周波数帯域幅、無線フレーム先頭タイミングなど、セルまたはセクタを構成するシステムパラメータなどを指す。
【００１４】
非特許文献３で提案されたセルサーチ方法を以下に説明する。
図１５は、基地局装置におけるＳＣＨ送信部１０００の構成を示す概略ブロック図である。図１５に示すように、ＳＣＨ送信部１０００は、セル固有情報ｕをもとに、該ｕをＧＣＬシーケンスインデックスとするＧＣＬシーケンスを生成するＧＣＬシーケンス生成部１００１と、生成されたＧＣＬシーケンスを周波数軸上にマッピングするマッピング部１００２と、マッピングされた信号を逆フーリエ変換することにより時間軸上の信号に変換するＩＤＦＴ（Inversed Discrete Fourier Transform：逆離散フーリエ変換）部１００３と、時間軸に変換された信号にガードインターバルＧＩを付加するＧＩ付加部１００４と、ガードインターバルが付加されたデジタル信号をアナログ信号に変換するＤＡＣ（Digital to Analogue Converter：デジタルアナログ変換器）部１００５と、アナログに変換された信号を所定のキャリア周波数でアンテナ１００７により送信する無線部（ＴＸ）１００６からなる。
【００１５】
ＧＣＬシーケンス生成部１００１は式（３）とセル固有情報ｕとを用いてＧＣＬシーケンスsを生成する。生成されたＧＣＬシーケンスsの各要素ｓ０、・・・、ｓＮ−１を、マッピング部１００２は、周波数軸上のサブキャリアにマッピングするが、このとき、図１６に示すように偶数サブキャリア（サブキャリア２、サブキャリア４、・・・、サブキャリア２Ｎ）にＧＣＬシーケンスsの要素をマッピングして、サブキャリア０および奇数サブキャリアにはヌル信号（電力０の信号）をマッピングすることにより（図１６の左側の図参照）、ＩＤＦＴ部１００３による逆離散フーリエ変換ＩＤＦＴ後の時間軸上での信号が同一信号の繰り返しで構成されるようにする（図１６の右側の図参照）。これは後述する移動局装置において、受信信号と受信信号を半シンボルずらした信号との相関をとる、すなわち自己相関をとることで容易にＳＣＨの時間同期タイミングを検出できるようにするためである。
【００１６】
図１７は、移動局装置におけるセルサーチ部の構成を示す概略ブロック図である。図１７に示すように、セルサーチ部１１００は、基地局装置から送信された信号をアンテナ１１１０を介して受信する無線部（ＲＸ）１１０１と、無線部で受信したアナログ信号をデジタル信号に変換するＡＤＣ（Analogue to Digital Converter）部１１０２と、デジタル信号に変換された時間軸上の信号を用いて同期チャネルシンボルのタイミングを検出するＳＣＨシンボルタイミング検出部１１０３と、ＳＣＨシンボルタイミング検出部１１０３で検出された同期チャネルシンボルのタイミング情報をもとにＡＤＣ部１１０２から出力され、かつ、同期が取られた時間軸上の信号をフーリエ変換することにより周波数軸上の信号に変換するＤＦＴ（Discrete Fourier Transform：離散フーリエ変換）部１１０４と、離散フーリエ変換ＤＦＴされた信号からＧＣＬシーケンスｓ’を取得するＧＣＬシーケンス取得部１１０５と、取得したＧＣＬシーケンスｓ’の位相情報を差動符号化する差動符号化部１１０６と、差動符号化部１１０６で符号化された信号を逆フーリエ変換するＩＤＦＴ部１１０７と、ＩＤＦＴ部１１０７から出力された信号のピーク電力を算出するピーク電力算出部１１０８と、ピーク電力位置のＩＤＦＴのインデックス番号をもとにＧＣＬシーケンスｓ’のＧＣＬシーケンスインデックスｕを推定し、推定した該ｕの値をセル固有情報として出力するセル固有情報推定部１１０９とからなる。
図１６に示したように、時間軸上のＳＣＨ信号は同一信号の繰り返しとなっている。
【００１７】
図１８（ａ）〜図１８（ｃ）は、移動局装置におけるＳＣＨシンボルタイミング検出部１１０３によるＳＣＨシンボルタイミングの推定方法を説明する図である。図１８（ａ）は、移動局装置における受信信号を示しており、横軸は時間である。また、図１８（ｂ）は、図１８（ａ）の受信信号を半シンボル遅延させた信号を示しており、横軸は時間である。また、図１８（ｃ）は、半シンボル分の相関値を示しており、横軸は時間であり、縦軸は相関値である。
ＳＣＨシンボルタイミング検出部１１０３は、受信信号（図１８（ａ））と半シンボル遅延させた受信信号（図１８（ｂ））との半シンボル分の相関値（図１８（ｃ））を計算し、相関値が予め定めた閾値を超えるタイミング、あるいは一定期間の相関値を保持して、保持した相関値で最大の値をとるタイミングをＳＣＨのシンボルタイミングとする。
【００１８】
ＤＦＴ部１１０４は、推定されたシンボルタイミングで信号をフーリエ変換することにより同期チャネルＳＣＨの周波数軸上の信号を得る。ＧＣＬシーケンス取得部１１０５は、偶数サブキャリアの信号を抜き出すことによりＧＣＬシーケンスｓ’を取得することができる。差動符号化部１１０６は、ＧＣＬシーケンスｓ’の位相情報を差動符号化する。すなわち、差動符号化部１１０６は、ＧＣＬシーケンスｓ’の各要素ｓ’ｋから一つ前の要素ｓ’ｋ−１を引いた値を要素とするシーケンスを出力する。ＩＤＦＴ部１１０７は、Ｎ個の要素からなる差動符号化部１１０６が出力したシーケンスに、Ｎポイントの逆フーリエ変換を行い、時間領域の信号を生成し、ピーク電力算出部１１０８は、ＩＤＦＴ部１１０７が生成した信号のインデックス０からＮ−１の電力を算出する。
【００１９】
セル固有情報推定部１１０９は、算出された電力のうち、ＧＣＬシーケンスｓ’のＧＣＬシーケンスインデックスuによって一意に決まるインデックスｕにのみ立つインパルス（ピーク電力）を検出して、該インデックスｕをセル固有情報ｕとして出力する。しかし、実際には、ノイズや他基地局装置から送信される信号などの影響により、インパルスとはならないため、セル固有情報推定部１１０９は、各インデックスの電力のうち、最大値をとるインデックスを検出することによりセル固有情報uを推定する。
【００２０】
以上の処理により、無線同期を行いセルＩＤの特定（セル固有情報uの推定）を行うことができる。
【非特許文献１】立川  敬二，“Ｗ−ＣＤＭＡ移動通信方式”，ＩＳＢＮ４−６２１−０４８９４−５、平成１３年６月２５日初版発行、丸善株式会社
【非特許文献２】3GPP TR(Technical Report)25.814,V1.5.0(2006-5),"Physical Layer Aspects for Evolved UTRA."、［online］、＜ＵＲＬ：http://www.3gpp.org/ftp/Specs/html-info/25814.htm＞
【非特許文献３】R1−051329 "Cell Search and Initial Acquisition for OFDM Downlink" 3GPP TSG RAN WG1 #43 on LTE Seoul, Korea, November 7-11, 2005、［online］、＜ＵＲＬ：http://www.3gpp.org/ftp/tsg_ran/WG1_RL1/TSGR1_43/Docs/R1-051329.zip＞
【非特許文献４】B.M. Popovic, "Generalized Chirp-like Polyphase Sequences with Optimal Correlation Properties," IEEE Trans. Info. Theory, vol. 38, pp. 1406-1409, July 1992.
【発明の開示】
【発明が解決しようとする課題】
【００２１】
しかしながら、上述のＧＣＬシーケンスを用いた同期チャネルＳＣＨは、前記式（３）のようにＮ−１種類のセル固有情報しか含めることができない。
【００２２】
本発明は、上記事情に鑑みてなされたものであり、その目的は、複数のセル固有情報を無線送信装置から無線受信装置に送信することができる無線送信装置、無線受信装置、無線通信システム、プログラム及び無線通信方法を提供することにある。
【課題を解決するための手段】
【００２３】
（１）  本発明は、上記課題を解決するためになされたもので、本発明の一態様による無線送信装置は、無線受信装置と通信する無線送信装置であって、第１のシーケンスを生成する第１のシーケンス生成部と、第２のシーケンスを生成する第２のシーケンス生成部と、前記第１のシーケンスの一部を第１の周波数帯域に割り当て、前記第２のシーケンスの一部を前記第１の周波数帯域と所定周波数に対して対称な第２の周波数帯域に割り当てるシーケンス割当部と、前記第１のシーケンスの一部と前記第２のシーケンスの一部とが割り当てられた送信信号を前記無線受信装置に送信する送信部とを備える。
本発明によれば、第１のシーケンスの一部を第１の周波数帯域に割り当て、第２のシーケンスの一部を第１の周波数帯域と所定周波数に対して対称な第２の周波数帯域に割り当てることで、第１のシーケンスの固有情報と第２のシーケンスの固有情報とを送受信することができる。
【００２４】
（２）  また、本発明の一態様による無線送信装置は、前記第２のシーケンスの位相を所定量だけ回転する位相回転部を備え、前記シーケンス割当部は、前記第１のシーケンスの一部を送信信号の第１の周波数帯域に割り当て、前記位相回転部が位相を所定量だけ回転した第２のシーケンスの一部を前記第１の周波数帯域と対称な第２の周波数帯域に割り当てる。
【００２５】
（３）  また、本発明の一態様による無線受信装置は、無線送信装置と通信する無線受信装置であって、前記無線送信装置が送信する送信信号を受信する受信部と、前記受信部が受信した送信信号の第１の周波数帯域から前記無線送信装置が送信した第１のシーケンスの一部を取得し、前記受信部が受信した送信信号の前記第１の周波数帯域と所定周波数に対して対称な第２の周波数帯域から前記無線送信装置が送信した第２のシーケンスの一部を取得するシーケンス取得部と、前記シーケンス取得部が取得した第１のシーケンスの一部から第１のシーケンスを生成し、前記シーケンス取得部が取得した第２のシーケンスの一部から第２のシーケンスを生成するシーケンス生成部とを備える。
【００２６】
（４）  また、本発明の一態様による無線通信システムは、無線送信装置と無線受信装置との間で通信を行う無線通信システムであって、前記無線送信装置は、第１のシーケンスを生成する第１のシーケンス生成部と、第２のシーケンスを生成する第２のシーケンス生成部と、前記第１のシーケンスの一部を第１の周波数帯域に割り当て、前記第２のシーケンスの一部を前記第１の周波数帯域と所定周波数に対して対称な第２の周波数帯域に割り当てるシーケンス割当部と、前記第１のシーケンスの一部と前記第２のシーケンスの一部とが割り当てられた送信信号を前記無線受信装置に送信する送信部とを備え、前記無線受信装置は、前記無線送信装置の送信部が送信する送信信号を受信する受信部と、前記受信部が受信した送信信号の第１の周波数帯域から前記無線送信装置が送信した第１のシーケンスの一部を取得し、前記受信部が受信した送信信号の前記第１の周波数帯域と所定周波数に対して対称な第２の周波数帯域から前記無線送信装置が送信した第２のシーケンスの一部を取得するシーケンス取得部と、前記シーケンス取得部が取得した第１のシーケンスの一部から第１のシーケンスを生成し、前記シーケンス取得部が取得した第２のシーケンスの一部から第２のシーケンスを生成するシーケンス生成部とを備える。
【００２７】
（５）  また、本発明の一態様によるプログラムは、無線受信装置と通信する無線送信装置のコンピュータを、第１のシーケンスを生成する第１のシーケンス生成手段と、第２のシーケンスを生成する第２のシーケンス生成手段と、前記第１のシーケンスの一部を第１の周波数帯域に割り当て、前記第２のシーケンスの一部を前記第１の周波数帯域と所定周波数に対して対称な第２の周波数帯域に割り当てるシーケンス割当手段と、前記第１のシーケンスの一部と前記第２のシーケンスの一部とが割り当てられた送信信号を前記無線受信装置に送信する送信手段として機能させる。
【００２８】
（６）  また、本発明の一態様によるプログラムは、無線送信装置と通信する無線受信装置のコンピュータを、前記無線送信装置が送信する送信信号を受信する受信手段と、前記受信手段が受信した送信信号の第１の周波数帯域から前記無線送信装置が送信した第１のシーケンスの一部を取得し、前記受信手段が受信した送信信号の前記第１の周波数帯域と所定周波数に対して対称な第２の周波数帯域から前記無線送信装置が送信した第２のシーケンスの一部を取得するシーケンス取得手段と、前記シーケンス取得手段が取得した第１のシーケンスの一部から第１のシーケンスを生成し、前記シーケンス取得手段が取得した第２のシーケンスの一部から第２のシーケンスを生成するシーケンス生成手段として機能させる。
【００２９】
（７）  また、本発明の一態様による無線通信方法は、無線送信装置と無線受信装置とを用いた無線通信方法であって、前記無線送信装置は、第１のシーケンスを生成する第１のシーケンス生成過程と、第２のシーケンスを生成する第２のシーケンス生成過程と、前記第１のシーケンスの一部を第１の周波数帯域に割り当て、前記第２のシーケンスの一部を前記第１の周波数帯域と所定周波数に対して対称な第２の周波数帯域に割り当てるシーケンス割当過程と、前記第１のシーケンスの一部と前記第２のシーケンスの一部とが割り当てられた送信信号を前記無線受信装置に送信する送信過程とを実行し、前記無線受信装置は、前記無線送信装置の送信過程で送信した送信信号を受信する受信過程と、前記受信過程で受信した送信信号の第１の周波数帯域から前記無線送信装置が送信した第１のシーケンスの一部を取得し、前記受信過程で受信した送信信号の前記第１の周波数帯域と所定周波数に対して対称な第２の周波数帯域から前記無線送信装置が送信した第２のシーケンスの一部を取得するシーケンス取得過程と、前記シーケンス取得過程で取得した第１のシーケンスの一部から第１のシーケンスを生成し、前記シーケンス取得過程で取得した第２のシーケンスの一部から第２のシーケンスを生成するシーケンス生成過程とを実行する。
【発明の効果】
【００３０】
本発明の無線送信装置、無線受信装置、無線通信システム、プログラム及び無線通信方法によれば、複数のセル固有情報を無線送信装置から無線受信装置に送信することができる。
【発明を実施するための最良の形態】
【００３１】
実施形態を説明する前に、ＧＣＬシーケンスｓｋ、の対称性について説明する。ＧＣＬシーケンスｓｋは、前述したように一般に式（１）により表される数列である。式（１）のＧＣＬシーケンスｓｋは、ｂｉ＝１（ｉ＝０，・・・，ｍ−１）とすると、式（４）となる。
【００３２】
【数４】
2008311738.tif 000006
【００３３】
ここでＮが偶数の場合、
【００３４】
【数５】
2008311738.tif 000007
【００３５】
とおき、上記の式（５）のｋ１を式（４）に代入した結果と、式（６）のｋ２を式（４）に代入した結果とを比較すると、ｓｋ１＝ｓｋ２が成り立つ。これは、式（４）のＧＣＬシーケンスｓｋ（式（１）のａｋと等しい）の要素は、Ｎが偶数のときは、ｋ＝Ｎ／２−ｑ’を中心にして、対称な位置にある要素の値が同じであることを表している。
【００３６】
例えば、図１は、式（４）において、Ｎ＝１６，ｒ＝３，ｑ＝０としたときのＧＣＬシーケンスｓｋの値を示した表である。図１より、ｋ＝Ｎ／２―ｑ＝８を中心にｓ８＝ｓ８，ｓ７＝ｓ９，ｓ６＝ｓ１０，・・・，ｓ１＝ｓ１５，ｓ０＝ｓ０となっていること、すなわち、ｋ＝８を中心にして、対称な位置にある要素の値が同じであることがわかる。これより、ｓ０，ｓ１，・・・，ｓ８またはｓ８，ｓ９，・・・，ｓ１５，ｓ０を用いてｓ０，ｓ１，・・・，ｓ１５を導出することが可能である。
【００３７】
また、図２は、式（４）において、Ｎ＝１６，ｒ＝３，ｑ＝４としたときのＧＣＬシーケンスｓｋの値を示した表である。図２においても、図１と同様に、ｋ＝Ｎ／２−（ｑ  ｍｏｄ  Ｎ／２）＝８−４＝４を中心にｓ４＝ｓ４，ｓ３＝ｓ５，ｓ２＝ｓ６，ｓ１＝ｓ７，ｓ０＝ｓ８，ｓ１５＝ｓ９，・・・，ｓ１３＝ｓ１１，ｓ１２＝ｓ１２となっていることがわかる。
【００３８】
次に、式（４）おいて、Ｎが奇数の場合、
【００３９】
【数６】
2008311738.tif 000008
【００４０】
とおき、上記の式（７）のｋ１を式（４）に代入した結果と、式（８）のｋ２を式（４）に代入した結果とを比較すると、ｓｋ１＝ｓｋ２が成り立つ。これは、式（４）のＧＣＬシーケンスｓｋ（式（１）のａｋと等しい）の要素は、Ｎが奇数のときは、ｋ＝（Ｎ−１）／２−ｑ’を中心にして、対称な位置にある要素の値が同じであることを表している。
【００４１】
例えば、図３は、式（４）において、Ｎ＝１７，ｒ＝３，ｑ＝０としたときのＧＣＬシーケンスｓｋの値を示した表である。図３より、ｋ＝（Ｎ−１）／２−ｑ’＝８を中心にｓ８＝ｓ８，ｓ７＝ｓ９，ｓ６＝ｓ１０，・・・，ｓ１＝ｓ１５，ｓ０＝ｓ１６となっていること、すなわち、ｋ＝８を中心にして、対称な位置にある要素の値が同じであることがわかる。これより、ｓ０，ｓ１，・・・，ｓ８またはｓ８，ｓ９，・・・，ｓ１６を用いてｓ０，ｓ１，・・・，ｓ１６を導出することが可能である。
【００４２】
また、図４は、式（４）において、Ｎ＝１７，ｒ＝７，ｑ＝−４としたときのＧＣＬシーケンスｓｋの値を示した表である。図４より、ｋ＝（Ｎ−１）／２−ｑ’＝８−（１３−１７）＝１２を中心にｓ１２＝ｓ１２，ｓ１１＝ｓ１３，ｓ１０＝ｓ１４，ｓ９＝ｓ１５，ｓ８＝ｓ１６，ｓ７＝ｓ０，ｓ６＝ｓ１，ｓ５＝ｓ２，ｓ４＝ｓ３となっていること、すなわち、ｋ＝１２を中心にして、対称な位置にある要素の値が同じであることがわかる。これより、ｓ４，ｓ３，・・・，ｓ０，ｓ１５，ｓ１４，・・・，ｓ１２またはｓ４，ｓ５，・・・，ｓ１１，ｓ１２を用いてｓ０，ｓ１，・・・，ｓ１５までの値を導出することが可能である。
【００４３】
上述では、ｂｉ＝１であるとして説明したが、ｂｉが１でない場合、上記の関係はｓｋに対してではなくａｋに対して成り立つ。すなわち、ｂｉ以外は図４と同じでＮ＝１７，ｒ＝７，ｑ＝−４のときは、ａ４，ａ３，・・・，ａ０，ａ１５，ａ１４，・・・，ａ１２、またはａ４，ａ５，・・・，ａ１１，ａ１２を用いてａ０，ａ１，・・・，ａ１５までの値を導出することが可能となる。これより、ｂｉの値が既知であれば、受信した信号に対してｂｉで複素除算することにより、ａ４，ａ３，・・・，ａ０，ａ１５，ａ１４，・・・，ａ１２を求めてａ０，ａ１，・・・，ａ１５までの値を導出し、ｂｉを複素乗算することでｓ０，ｓ１，・・・，ｓ１５までの値を求めることができる。もちろん、これ以外にも前述したすべての場合（図１〜図３）において、ｂｉの値が既知であれば、同様の処理が可能である。これは、以降説明する各実施形態においても同様である。
【００４４】
本発明は、通信パラメータに関する情報を同期チャネルから取得する無線通信装置および受信方法に関するが、以降の実施形態では、該無線通信システムおよび受信方法の例として、通信パラメータに関する情報の一例である基地局装置のセル固有情報をＧＣＬシーケンスインデックスとしたＧＣＬシーケンスの各要素を同期チャネルシンボルに割り当てた同期チャネルを基地局装置が送信し、上記の手法を用いて効率的なセル固有情報ｕの同定を無線通信装置の一例である移動局装置の装置が行う移動通信システムについて説明する。
【００４５】
（第１の実施形態）
以下、本発明の第１の実施形態に係る移動通信システムにおける基地局装置および移動局装置について、図面を参照しつつ説明を行う。
図５は、本実施形態における基地局装置の構成を示す概略ブロック図である。１０１１は、基地局装置の各部を統括的に制御するとともにデータ転送を行う上位レイヤである。１００８は、パイロット信号を生成するパイロット信号生成部である。１００９は、上位レイヤ１０１１からの送信要求を契機として、ユーザデータと制御データが入力され、これらの符号化を行う符号化部である。１０１０は、上位レイヤ１０１１からの指示に従い、各信号のスケジューリング情報を出力するスケジュール部である。１０２０は、アンテナ１０７にて受信した信号からユーザデータ、制御データを取得して、上位レイヤ１０１１に出力する受信部である。
【００４６】
１０１、１０１２は、上位レイヤ１０１１からの２つのセル固有情報ｕ１、ｕ２に基づいてＧＣＬシーケンスｓ１ｋ（ｋ＝０，・・・，１６）、ｓ２ｋ（ｋ＝０，・・・，１６）をそれぞれ算出する、第１のＧＣＬシーケンス生成部（第１のシーケンス生成部とも称する）および第２のＧＣＬシーケンス生成部（第２のシーケンス生成部とも称する）である。
第１のＧＣＬシーケンス生成部１０１は、セル固有情報ｕ１に基づいてＧＣＬシーケンスｓ１ｋ（第１のシーケンスとも称する）を生成し、マッピング部１０２（シーケンス割当部とも称する）、位相回転部１０１３に出力する。
また、第２のＧＣＬシーケンス生成部１０１２は、セル固有情報ｕ２に基づいてＧＣＬシーケンスｓ２ｋ（第２のシーケンスとも称する）を生成し、位相回転部１０１３に出力する。
ここでは、第１および第２のＧＣＬシーケンス生成部１０１、１０１２で用いるＧＣＬシーケンスは、式（１）において、ｂｉ＝１，ｑ＝０，Ｎ＝１７のときのｓｋとする。
【００４７】
位相回転部１０１３は、第２のＧＣＬシーケンス生成部１０１２が生成するＧＣＬシーケンスｓ２ｋの位相を所定量だけ回転し、マッピング部１０２に出力する。具体的には、位相回転部１０１３は、第１および第２のＧＣＬシーケンス生成部１０１、１０１２で生成されたｓ１ｋ、ｓ２ｋをもとに、ｓ１８＝ｒ×ｓ２８となる位相回転量ｒを導出し、導出したｒをｓ２ｋすべてに乗算（ｓ２ｋ＝ｒ×ｓ２ｋ（ｋ＝０，・・・，１６））して、マッピング部１０２に出力する。
【００４８】
１０２は、スケジュール部１０１０からのスケジュール情報に従い、符号化部１００９とパイロット信号生成部１００８と第１のＧＣＬシーケンス生成部１０１と位相回転部１０１３との出力を、フレームを構成するサブキャリアにマッピングするマッピング部である。
マッピング部１０２では、第１のＧＣＬシーケンス生成部１０１により算出されたＧＣＬシーケンスｓ１ｋと、位相回転部１０１３で位相回転が施されたｓ２ｋの各要素については、同期チャネルシンボルとして周波数軸上の偶数サブキャリアに各シーケンスの半分ずつをマッピングする。
【００４９】
すなわち、ＧＣＬシーケンスの対称性に基づいて、ＧＣＬシーケンスｓ１ｋの半分と、ＧＣＬシーケンスｓ２ｋの半分とを、中心周波数（所定周波数とも称する）を中心として対称となるような各周波数帯域のサブキャリアにマッピングする。ＧＣＬシーケンスの対称性を用いることで、各ＧＣＬシーケンスｓ１ｋ、ｓ２ｋの半分から、全体のデータを導出できる。また、２つのシーケンスで、対応する一部の信号の位相が同一となるように、ｓ２ｋの各要素について位相回転部１０１３で位相回転を施す。また、前述したように、ＧＣＬシーケンスの各要素を偶数サブキャリアにマッピングする。
【００５０】
例えば、マッピング部１０２は、ＧＣＬシーケンスの対称性に基づいて、ＧＣＬシーケンスｓ１ｋの一部ｓ０、ｓ１、ｓ２、ｓ３、ｓ４、ｓ５、ｓ６、ｓ７を、サブキャリア番号４８、５０、５２、５４、５６、５８、６０、６２（第１の周波数帯域とも称する）に割り当てる（図６（ａ）参照）。また、マッピング部１０２は、位相回転部１０１２が位相を所定量だけ回転したＧＣＬシーケンスｓ２ｋの一部ｓ８、ｓ９、ｓ１０、ｓ１１、ｓ１２、ｓ１３、ｓ１４、ｓ１５、ｓ１６を上記第１の周波数帯域と中心周波数に対して対称なサブキャリア番号２、４、６、８、１０、１２、１４、１６、１８（第２の周波数帯域とも称する）に割り当てる（図６（ａ）参照）。
【００５１】
例えば、図６（ａ）で示すようにｓ１０をサブキャリア４８番に、ｓ１１をサブキャリア５０番に、・・・、ｓ１７をサブキャリア６２番に、ｓ１８（＝ｓ２８）をサブキャリア２番に、ｓ２９をサブキャリア４番に、・・・、ｓ２１６をサブキャリア１８番にマッピングする。
【００５２】
１０３は、サブキャリアにマッピングされた信号に６４ポイントの逆離散フーリエ変換ＩＤＦＴを施し、時間軸上の信号に変換するＩＤＦＴ部である。１０４は、時間軸上の信号にガードインターバルを付加するＧＩ付加部である。１０５は、ガードインターバルが付加されたデジタル信号を、アナログ信号に変換するＤＡＣ部である。１０６は、該アナログ信号を所定のキャリア周波数でアンテナ１０７により送信する無線部（ＴＸ）である。
無線部１０６（送信部とも称する）は、ＧＣＬシーケンスｓ１ｋの一部と、ＧＣＬシーケンスｓ２ｋの一部とが割り当てられた送信信号を、マッピング部１０２からＩＤＦＴ部１０３、ＧＩ付加部１０４、ＤＡＣ部１０５を介して取得し、アンテナ１０７から無線受信装置に送信する。
本実施形態では、ＧＣＬシーケンス生成部１０１、マッピング部１０２、ＩＤＦＴ部１０３、ＧＩ付加部１０４、ＤＡＣ部１０５、無線部（ＴＸ）１０６からなる部分をＳＣＨ送信部１００と称する。
【００５３】
図７は、移動局装置の構成を示す概略ブロック図である。２０１は、基地局装置から送信された信号を、アンテナ２２０を介して受信する無線部（ＲＸ）である。無線部２０１（受信部とも称する）は、無線送信装置が送信する送信信号を、アンテナ２２０を介して受信し、ＡＤＣ部２０２に出力する。
２０２は、無線部２０１で受信したアナログ信号をデジタル信号に変換するＡＤＣ部である。２０３は、デジタル信号に変換された時間軸上の信号を用いて同期チャネルシンボルのタイミングを検出するＳＣＨシンボルタイミング検出部である。２０４は、ＳＣＨシンボルタイミング検出部２０３で検出された同期チャネルシンボルのタイミング情報をもとにＡＤＣ部２０２から出力された時間軸上の信号を離散フーリエ変換ＤＦＴすることにより周波数軸上の信号に変換するＤＦＴ部である。２０５は、離散フーリエ変換ＤＦＴされた信号からＧＣＬシーケンスを取得するＧＣＬシーケンス取得部である。ＧＣＬシーケンス取得部２０５（シーケンス取得部とも称する）は、無線部２０１が受信した送信信号をＡＤＣ部２０２、ＤＦＴ部２０４を介して取得し、その送信信号のサブキャリア番号４８、５０、５２、５４、５６、５８、６０、６２（第１の周波数帯域とも称する）から、無線送信装置が送信したＧＣＬシーケンスｓ１ｋの一部ｓ０、ｓ１、ｓ２、ｓ３、ｓ４、ｓ５、ｓ６、ｓ７を取得する。また、ＧＣＬシーケンス取得部２０５は、無線部２０１が受信した送信信号をＡＤＣ部２０２、ＤＦＴ部２０４を介して取得し、上記第１の周波数帯域と中心周波数に対して対称なサブキャリア番号２、４、６、８、１０、１２、１４、１６、１８（第２の周波数帯域とも称する）から、無線送信装置が送信したＧＣＬシーケンスｓ２ｋの一部ｓ８、ｓ９、ｓ１０、ｓ１１、ｓ１２、ｓ１３、ｓ１４、ｓ１５、ｓ１６を取得する。
【００５４】
２１０は、取得したＧＣＬシーケンスをＧＣＬシーケンスの対称性に基づき２つの異なるＧＣＬシーケンスを取得し、出力するシーケンス再構成部である。例えば、シーケンス再構成部２１０（シーケンス生成部とも称する）は、ＧＣＬシーケンスの対称性に基づいて、ＧＣＬシーケンス取得部２０５が取得したＧＣＬシーケンスｓ１ｋの一部ｓ０、ｓ１、ｓ２、ｓ３、ｓ４、ｓ５、ｓ６、ｓ７からＧＣＬシーケンスｓ１ｋを生成する。また、シーケンス再構成部２１０は、ＧＣＬシーケンス取得部２０５が取得したＧＣＬシーケンスｓ２ｋの一部ｓ８、ｓ９、ｓ１０、ｓ１１、ｓ１２、ｓ１３、ｓ１４、ｓ１５、ｓ１６からＧＣＬシーケンスｓ２ｋを生成する。
【００５５】
シーケンス再構成部２１０の詳細については、後述する。２０６は、シーケンス再構成部２１０で生成された２つのＧＣＬシーケンスの位相情報をそれぞれ差動符号化する差動符号化部である。２０７は、差動符号化部２０６で符号化された信号を逆離散フーリエ変換ＩＤＦＴするＩＤＦＴ部である。２０８は、ＩＤＦＴ部２０７から出力された信号のピーク電力を算出するピーク電力算出部である。２０９は、ピーク電力となる逆離散フーリエ変換ＩＤＦＴの２つのインデックス番号をもとに２つのセル固有情報を推定して出力するセル固有情報推定部である。本実施形態では、差動符号化部２０６とＩＤＦＴ部２０７とピーク電力算出部２０８とセル固有情報推定部２０９とで、インデックス検出手段として機能する。また、本実施形態では、無線部（ＲＸ）２０１とＡＤＣ部２０２とＳＣＨシンボルタイミング検出部２０３とＤＦＴ部２０４とＧＣＬシーケンス取得部２０５とシーケンス再構成部２１０と差動符号化部２０６とＩＤＦＴ部２０７とピーク電力算出部２０８とセル固有情報推定部２０９とからなる部分をセルサーチ部２００と称する。
【００５６】
１１１６は、移動局装置の各部を統括的に制御する上位レイヤである。スケジュール部１１１２は、上位レイヤ１１１６からのスケジューリング情報を用いて、データ復調部１１１１に各データの復調を指示する。データ復調部１１１１は、ＡＤＣ部１１０２が出力した信号を復調し、復調して得られたデータの種別に応じて、ユーザデータ処理部１１１３、制御データ処理部１１１４、パイロット信号処理部１１１５に出力する。ユーザデータ処理部１１１３は、データ復調部１１１１から受けたユーザデータを、上位レイヤ１１１６に出力するための処理を施して、上位レイヤ１１１６に出力する。制御データ処理部１１１４は、データ復調部１１１１から受けた制御データを、上位レイヤ１１１６に出力するための処理を施して、上位レイヤ１１１６に出力する。パイロット信号処理部１１１５は、データ復調部１１１１から受けたパイロット信号を、上位レイヤに出力するための処理を施して、上位レイヤに出力する。
【００５７】
移動局装置のセルサーチ部２００では、無線部２０１が受信した信号をＡＤＣ部２０２がデジタル信号に変換する。次に、ＳＣＨシンボルタイミング検出部２０３は、受信信号と半シンボル遅延させた受信信号との相関値のピークを検出することによって同期チャネルシンボルタイミングの推定を行う。ＤＦＴ部２０４は、ＳＣＨシンボルタイミング検出部２０３により推定されたシンボルタイミングで信号をフーリエ変換することにより同期チャネルＳＣＨの周波数軸上の信号（同期チャネルシンボル）を得る。ＧＣＬシーケンス取得部２０５は、ＤＦＴ部２０４により得られた同期チャネルＳＣＨの周波数軸上の信号から、偶数サブキャリアの信号を抜き出すことによりＧＣＬシーケンスｓｋを取得する。取得したｓｋを、シーケンス再構成部２１０が、ＧＣＬシーケンスの対称性に基づき二つのシーケンスｓ１ｋとｓ２ｋとを出力する。
【００５８】
図８は、シーケンス再構成部２１０の内部構成を示す概略ブロック図である。シーケンス再構成部２１０は、入力された信号を分配する分配部２１１と、分配された信号を複製し並び替えを行い出力する第１および第２のデータ複製部２１２，２１３からなる。分配部２１１には、ＧＣＬシーケンス取得部２０５からｓｋが入力される。入力されたｓｋは、ｓ０，ｓ１，・・・，ｓ７，ｓ８と、ｓ８，ｓ９，・・・，ｓ１５，ｓ１６に分配され、第１のデータ複製部２１２には、ｓ０，ｓ１，・・・，ｓ７，ｓ８が、第２のデータ複製部２１３には、ｓ８，ｓ９，・・・，ｓ１５，ｓ１６が出力される。第１のデータ複製部２１２は、入力された信号の複製、並び替えを行い、ｓ１ｋ＝ｓ０，ｓ１，・・・，ｓ７，ｓ８，ｓ７，・・・，ｓ１，ｓ０を出力する。第２のデータ複製部２１３は、入力された信号の複製、並び替えを行い、ｓ２ｋ＝ｓ１６，ｓ１５，・・・，ｓ９，s８，ｓ９，・・・，ｓ１５，ｓ１６を出力する。
【００５９】
以上の処理により再構成された信号は図７の差動符号化部２０６に入力される。差動符号化部２０６は、ＧＣＬシーケンスｓ１ｋ、ｓ２ｋの位相情報をそれぞれ差動符号化する。すなわち、差動符号化部２０６は、ＧＣＬシーケンスｓｋの各要素ｓｋと一つ前の要素ｓｋ−１の差分を要素とするシーケンスを出力する。ＩＤＦＴ部２０７は、１６個の要素からなる差動符号化部２０６が出力した２つのシーケンスに、１６ポイントの逆離散フーリエ変換ＩＤＦＴを行い、２つの時間領域の信号を生成し、ピーク電力算出部２０８は、ＩＤＦＴ部２０７が生成した２つの信号のそれぞれのインデックス０から１５の電力を算出する。セル固有情報推定部１１０９は、算出された電力のうち、最大値をとるインデックスを検出することで、シーケンス再構成部から出力された２つのシーケンスそれぞれからセル固有情報u１、ｕ２を推定する。ここでｕ１，ｕ２はそれぞれ（Ｎ−１）の情報であることから、この２つのセル固有情報から（Ｎ−１）＾２の情報を受信できたことになる。
【００６０】
２つのセル固有情報u１、ｕ２を取得するために差動符号化部２０６以降の処理は２度行う、あるいは２系統用意する必要が生じるが、従来のセルサーチ部２００への追加回路はシーケンス再構成部２１０のみであり、実装は容易である。
【００６１】
また、図９は、上記シーケンス再構成部２１０をＣＰＵ（Central Processing Unit：中央演算処理装置）およびメモリと該ＣＰＵを動作させるソフトウェアにより実現した場合の動作を説明するフローチャートである。ステップＳ１−１では、入力されたｓ０，ｓ１，・・・，ｓ１６をもとに、ｓ１ｋ＝ｓ０，ｓ１，・・・，ｓ７，ｓ８，ｓ７，・・・，ｓ１，ｓ０、ｓ２ｋ＝ｓ１６，ｓ１５，・・・，ｓ９，s８，ｓ９，・・・，ｓ１５，ｓ１６を導出する。以上の処理により、従来のセル固有情報取得に用いるソフトウェアで利用可能な２つのシーケンスを出力することができる。
【００６２】
（第２の実施形態）
以下、本発明の第２の実施形態に係る移動通信システムにおける基地局装置および移動局装置について、図面を参照しつつ説明を行う。第１の実施形態ではシーケンスとして式（１）における、ｂｉ＝１，ｑ＝０，Ｎ＝１７のときのｓｋを用いた。本実施形態ではｂｉ＝１，ｑ＝０，Ｎ＝１６のときのｓｋを用いる。
【００６３】
図１０は、本実施形態における基地局装置の構成を示す概略ブロック図である。１０１１は、基地局装置の各部を統括的に制御する上位レイヤである。１００８は、パイロット信号を生成するパイロット信号生成部である。１００９は、上位レイヤ１０１１からの送信要求を契機として、ユーザデータと制御データが入力され、これらの符号化を行う符号化部である。１０１０は、上位レイヤ１０１１からの指示に従い、各信号のスケジューリング情報を出力するスケジュール部である。１０２０は、アンテナ１０７にて受信した信号からユーザデータ、制御データを取得して、上位レイヤ１０１１に出力する受信部である。
【００６４】
１０１、１０１２は、上位レイヤ１０１１からの２つのセル固有情報ｕ１、ｕ２に基づいてＧＣＬシーケンスｓ１ｋ（ｋ＝０，・・・，１５）、ｓ２ｋ（ｋ＝０，・・・，１５）をそれぞれ算出する、第１および第２のＧＣＬシーケンス生成部である。ここでは第１および第２のＧＣＬシーケンス生成部１０１、１０１２で用いるＧＣＬシーケンスは、式（１）において、ｂｉ＝１，ｑ＝０，Ｎ＝１６のときのｓｋとする。マッピング部２００１は、スケジュール部１０１０からのスケジュール情報に従い、符号化部１００９とパイロット信号生成部１００８と第１のＧＣＬシーケンス生成部１０１と第２のＧＣＬシーケンス生成部１０１２との出力をサブキャリアにマッピングするマッピング部である。マッピング部２００１では、第１のＧＣＬシーケンス生成部１０１により算出されたＧＣＬシーケンスｓ１ｋと、第２のＧＣＬシーケンス生成部１０１２により算出されたＧＣＬシーケンスｓ２ｋの各要素については、同期チャネルシンボルとして周波数軸上の偶数サブキャリアに各シーケンスの半分ずつをマッピングする。
例えば、図１３で示すようにｓ１０をサブキャリア４８番に、ｓ１１をサブキャリア５０番に、・・・、ｓ１７をサブキャリア６２番に、ｓ２８をサブキャリア２番に、ｓ２９をサブキャリア４番に、・・・、ｓ２１５をサブキャリア１６番にマッピングする。
【００６５】
１０３は、サブキャリアにマッピングされた信号に６４ポイントの逆離散フーリエ変換ＩＤＦＴを施し、時間軸上の信号に変換するＩＤＦＴ部である。１０４は、時間軸上の信号にガードインターバルを付加するＧＩ付加部である。１０５は、ガードインターバルが付加されたデジタル信号を、アナログ信号に変換するＤＡＣ部である。１０６は、該アナログ信号を所定のキャリア周波数でアンテナ１０７により送信する無線部（ＴＸ）である。本実施形態では、ＧＣＬシーケンス生成部１０１、マッピング部２００１、ＩＤＦＴ部１０３、ＧＩ付加部１０４、ＤＡＣ部１０５、無線部（ＴＸ）１０６からなる部分をＳＣＨ送信部１００と称する。
【００６６】
移動局装置の構成は図７におけるシーケンス再構成部のみが異なるためシーケンス再構成部以外の説明を省略する。
【００６７】
図１１は、本実施形態におけるシーケンス再構成部２００５の内部構成を示す概略ブロック図である。シーケンス再構成部２００５は、入力された信号を分配する分配部２００２と、分配された信号を複製し並び替えを行い出力する第３および第４のデータ複製部２００３，２００４からなる。分配部２００２には、ＧＣＬシーケンス取得部２０５からｓｋが入力される。入力されたｓｋは、ｓ０，ｓ１，・・・，ｓ７と、ｓ８，ｓ９，・・・，ｓ１５に分けられ、第３のデータ複製部２００３には、ｓ０，ｓ１，・・・，ｓ７が、第４のデータ複製部２００４には、ｓ８，ｓ９，・・・，ｓ１５が出力される。第３のデータ複製部２００３は、入力された信号の複製、並び替えを行い、ｓ１ｋ＝ｓ０，ｓ１，・・・，ｓ７，ｓ０，ｓ７，・・・，ｓ１を出力する。すなわち、図１におけるｋ＝８の値をｋ＝０の値と同じものとして利用する。第４のデータ複製部２００４は、入力された信号の複製、並び替えを行い、ｓ２ｋ＝ｓ８，ｓ１５，・・・，ｓ９，s８，ｓ９，・・・，ｓ１５を出力する。すなわち、ｋ＝０の値をｋ＝８の値と同じものとして利用する。
【００６８】
以上の処理により再構成された信号は図７の差動符号化部２０６に入力される。以降の処理は第１の実施形態と同様である。
【００６９】
また、図１２は、上記シーケンス再構成部２００５をＣＰＵおよびメモリと該ＣＰＵを動作させるソフトウェアにより実現した場合の動作を説明するフローチャートである。ステップＳ２−１では、入力されたｓ０，ｓ１，・・・，ｓ１５をもとに、ｓ１ｋ＝ｓ０，ｓ１，・・・，ｓ７，ｓ０，ｓ７，・・・，ｓ１、ｓ２ｋ＝ｓ８，ｓ１５，・・・，ｓ９，  s８，ｓ９，・・・，ｓ１５を導出する。以上の処理により、従来のセル固有情報取得に用いるソフトウェアで利用可能な２つのシーケンスを第１の実施形態と同様に出力することができる。
【００７０】
なお、同期チャネルＳＣＨの構造について、上記の実施形態では生成されたＧＣＬシーケンスを偶数サブキャリアに配置する例で説明を行ったが、これに限定されるものではなく、ｎサブキャリア毎（ｎは任意の正数）に配置することも可能である。連続するサブキャリアに配置する場合（すなわちｎ＝１の場合）、予め他の既知の信号を用いてＳＣＨシンボルタイミングを検出することが必要となるが、取得したＧＣＬシーケンスを用いてセル固有情報を取得する方法は上記実施形態の各方法を用いることが可能である。
【００７１】
なお、以上説明した実施形態において、図５、図１０の基地局装置、図７の移動局装置の機能又はこれらの機能の一部を実現するためのプログラムをコンピュータ読み取り可能な記録媒体に記録して、この記録媒体に記録されたプログラムをコンピュータシステムに読み込ませ、実行することにより基地局装置や移動局装置の制御を行なってもよい。なお、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７３】
以上、この発明の実施形態を図面を参照して詳述してきたが、具体的な構成はこの実施形態に限られるものではなく、この発明の要旨を逸脱しない範囲の設計等も特許請求の範囲に含まれる。
【図面の簡単な説明】
【００７４】
【図１】Ｎ＝１６，ｒ＝３，ｑ＝０としたときのＧＣＬシーケンスｓｋの値を示した表である。
【図２】Ｎ＝１６，ｒ＝３，ｑ＝４としたときのＧＣＬシーケンスｓｋの値を示した表である。
【図３】Ｎ＝１７，ｒ＝３，ｑ＝０としたときのＧＣＬシーケンスｓｋの値を示した表である。
【図４】Ｎ＝１７，ｒ＝７，ｑ＝−４としたときのＧＣＬシーケンスｓｋの値を示した表である。
【図５】本発明の第１の実施形態における基地局装置の構成を示す概略ブロック図である。
【図６】本発明の第１の実施形態におけるマッピング部１０２によるＧＣＬシーケンスｓｋのサブキャリアへのマッピングを説明する図と、同期チャネルＳＣＨのフェージングの例を示した図である。
【図７】本発明の第１および第２の実施形態における移動局装置の構成を示す概略ブロック図である。
【図８】本発明の第１の実施形態におけるシーケンス再構成部２１０の内部構成を示す概略ブロック図である。
【図９】本発明の第１の実施形態におけるシーケンス再構成部２１０を、ソフトウェアを用いて実現した場合の動作を説明するフローチャートである。
【図１０】本発明の第２の実施形態における基地局装置の構成を示す概略ブロック図である。
【図１１】本発明の第２の実施形態における図７のシーケンス再構成部２１０の内部構成を示す概略ブロック図である。
【図１２】本発明の第２の実施形態におけるシーケンス再構成部２１０を、ソフトウェアを用いて実現した場合の動作を説明するフローチャートである。
【図１３】本発明の第２の実施形態におけるマッピング部１０２によるＧＣＬシーケンスｓｋのサブキャリアへのマッピングを説明する図である。
【図１４】異なる周波数帯域幅を持つ基地局装置の周波数帯域Ｂ１〜Ｂ５と同期チャネルＳＣＨの関係を示した図である。
【図１５】従来の基地局装置におけるＳＣＨ送信部１０００の構成を示す概略ブロック図である。
【図１６】従来の基地局装置におけるマッピング部１００２によるＧＣＬシーケンスｓｋのサブキャリアへのマッピングを説明する図である
【図１７】従来の移動局装置におけるセルサーチ部の構成を示す概略ブロック図である。
【図１８】従来の移動局装置におけるＳＣＨシンボルタイミング検出部１１０３によるＳＣＨシンボルタイミングの推定方法を説明する図である。
【符号の説明】
【００７５】
１００・・・送信部、１０１・・・第１のＧＣＬシーケンス生成部、１０２・・・マッピング部、１０３・・・ＩＤＦＴ部、１０４・・・ＧＩ付加部、１０５・・・ＤＡＣ部、１０７・・・アンテナ、２００・・・セルサーチ部、２０１・・・無線部、２０２・・・ＡＤＣ部、２０３・・・ＳＣＨシンボルタイミング検出部、２０４・・・ＤＦＴ部、２０５・・・ＧＣＬシーケンス取得部、２０６・・・差動符号化部、２０７・・・ＩＤＦＴ部、２０８・・・ピーク電力算出部、２０９・・・セル固有情報推定部、２１０・・・シーケンス再構成部、２１１・・・分配部、２１２・・・第１のデータ複製部、２１３・・・第２のデータ複製部、２２０・・・アンテナ、１０００・・・送信部、１００１・・・ＧＣＬシーケンス生成部、１００２・・・マッピング部、１００３・・・ＩＤＦＴ部、１００４・・・ＧＩ付加部、１００５・・・ＤＡＣ部、１００７・・・アンテナ、１００８・・・パイロット信号生成部、１００９・・・符号化部、１０１０・・・スケジュール部、１０１１・・・上位レイヤ、１０１２・・・第２のＧＣＬシーケンス生成部、１０１３・・・位相回転部、１１００・・・セルサーチ部、１１０２・・・ＡＤＣ部、１１０３・・・ＳＣＨシンボルタイミング検出部、１１０４・・・ＤＦＴ部、１１０５・・・ＧＣＬシーケンス取得部、１１０６・・・差動符号化部、１１０７・・・ＩＤＦＴ部、１１０８・・・ピーク電力算出部、１１０９・・・セル固有情報推定部、１１１０・・・アンテナ、１１１１・・・データ復調部、１１１２・・・スケジュール部、１１１３・・・ユーザデータ処理部、１１１４・・・制御データ処理部、１１１５・・・パイロット信号処理部、１１１６・・・上位レイヤ、１０２０・・・受信部、２００１・・・マッピング部、２００２・・・分配部、２００３・・・第３のデータ複製部、２００４・・・第４のデータ複製部、２００５・・・シーケンス再構成部
【図１】
2008311738.tif 000009
【図２】
2008311738.tif 000010
【図３】
2008311738.tif 000011
【図４】
2008311738.tif 000012
【図５】
2008311738.tif 000013
【図６】
2008311738.tif 000014
【図７】
2008311738.tif 000015
【図８】
2008311738.tif 000016
【図９】
2008311738.tif 000017
【図１０】
2008311738.tif 000018
【図１１】
2008311738.tif 000019
【図１２】
2008311738.tif 000020
【図１３】
2008311738.tif 000021
【図１４】
2008311738.tif 000022
【図１５】
2008311738.tif 000023
【図１６】
2008311738.tif 000024
【図１７】
2008311738.tif 000025
【図１８】
2008311738.tif 000026